(57)【要約】【課題】  仕切部材としては、傷付きや破損などを防止する本来の目的の他に、製造コスト、組み立ての容易性、保管時の嵩、容器内での自立性なども重要な要件となる。【解決手段】  一枚のシートから構成し、容器に装着することにより該容器の内部を３以上に区画する仕切部材において、シートを一方向に複数に区画するもので一若しくは複数平行に設けた切罫と直線上に連続する横折罫、各区画域を３つに区画するもので該切罫に直交し同じ間隔で各区画域毎に階段状に設けた２つの縦折罫、とによって構成し、隣り合う該横折罫は交互に山折りと谷折りとすると共に、各区画域における各縦折罫は、各縦折罫の内切罫との交差部がシートの端部から最も近い縦折罫をこれに直交する切罫に連続する横折罫の逆折りとし、各区画域毎に山折りと谷折り隣り合う区画域は相互に逆折りとする。【選択図】        図１
2010058816.tif 000002
【特許請求の範囲】
【請求項１】
一枚のシートから構成し、容器に装着することにより該容器の内部を３以上に区画する仕切部材において、シートを一方向に複数に区画するもので一若しくは複数平行に設けた切罫と直線上に連続する横折罫、各区画域を３つに区画するもので該切罫に直交し同じ間隔で各区画域毎に階段状に設けた２つの縦折罫、とによって構成し、隣り合う該横折罫は交互に山折りと谷折りとすると共に、各区画域における各縦折罫は、各縦折罫の内切罫との交差部がシートの端部から最も近い縦折罫をこれに直交する切罫に連続する横折罫の逆折りとし、各区画域毎に山折りと谷折り隣り合う区画域は相互に逆折りとしたことを特徴とする仕切装置。
【発明の詳細な説明】
【技術分野】
【０００１】
本発明は、複数の部品や商品を包装する場合において段ボール箱等の容器内部を複数に仕切る仕切装置の改良に関するものである。
【背景技術】
【０００２】
複数の物品を集合包装する場合、相互干渉による傷付きや破損、片寄りなどを防止することを目的として仕切部材が広く利用されている。段ボールや厚紙で形成する仕切部材には種々の構造のものがあり、基本的には切込による嵌め込みや折り曲げによって、段ボール箱等の容器を複数に区画している。例えば、特許文献１に示す段ボール箱の中仕切板のように、複数の折曲片を設けることによって段ボール箱の内部を仕切っている。
【特許文献１】実開昭５５−１０４６５９号
【発明の開示】
【発明が解決しようとする課題】
【０００３】
仕切部材としては、上述したように傷付きや破損などを防止する本来の目的の他に、製造コスト、組み立ての容易性、保管時の嵩、容器内での自立性なども重要な要件であり、包装される物品の単価にも影響することになる。
【課題を解決するための手段】
【０００４】
そこで本発明者は上記問題に鑑み鋭意研究の結果、本発明を成し得たものであり、その特徴とするところは、一枚のシートから構成し、容器に装着することにより該容器の内部を３以上に区画する仕切部材において、シートを一方向に複数に区画するもので一若しくは複数平行に設けた切罫と直線上に連続する横折罫、各区画域を３つに区画するもので該切罫に直交し同じ間隔で各区画域毎に階段状に設けた２つの縦折罫、とによって構成し、隣り合う該横折罫は交互に山折りと谷折りとすると共に、各区画域における各縦折罫は、各縦折罫の内切罫との交差部がシートの端部から最も近い縦折罫をこれに直交する切罫に連続する横折罫の逆折りとし、各区画域毎に山折りと谷折り隣り合う区画域は相互に逆折りとしたことにある。
【０００５】
ここで、本明細書中でいう「区画域」とは、切罫とこれに直線上に連続する横折罫によってシートを複数に区画した各区画部分をいう。切罫と直線上に連続する横折罫は、１つだけ設けてシートを２つの区画域に分けるだけでもよく、２つ以上設けて３つ以上の区画域に分割してもよい。横折罫を複数設ける場合は、相互に平行に設ける。切罫は切刃によってシートを切断する罫であり、折罫はミシン罫、半切り罫、凹状の溝などシートを曲げやすくするための罫であればよい。
【０００６】
各区画域には、切罫に直交する２つの縦折罫を設けて３つに区画する。本発明に係る仕切装置においては、３つに区画した中央部分が仕切となる。このため、各区画域に設ける２つの縦折罫の間隔は全て同じにする。また、２つの縦折罫は隣り合う区画域の２つの縦折罫の間隔から外れないように階段状に設ける。階段状にずらせる間隔が仕切間のピッチとなるため、一定にする他包装する物品の種類に応じて任意に変えてもよい。
【０００７】
シートとしては、段ボール、コート紙などの厚紙、ポリプロピレンやポリスチレンなどのプラスチックシート若しくは発泡プラスチックシート、プラスチック段ボールなどである。これらのシートに切罫、横折罫、縦折罫を設け、隣り合う横折罫を交互に山折りと谷折りとしたいわゆる蛇腹に折り畳む。そして、切罫との交差部がシートの端部から最も近い縦折罫を、これに直交する切罫に連続する横折罫と逆に折る。この縦折罫を基準にして、各区画域の２つの縦折罫は山折りと谷折り、隣り合う区画域は相互に逆折りとなるようにする。つまり、各区画域の２つの縦折罫は一方を山折り、他方を谷折りとすることと、各区画域に共通する端部側の縦折罫を交互に山折りと谷折りにすることである。
【発明の効果】
【０００８】
本発明に係る仕切装置は、一枚のシートに各種の罫を設けるだけでよいので、材料の無駄がなく極めて安価に製造することができる。横折罫で蛇腹状に折り畳んだ状態から各縦折罫を折り曲げるだけで仕切として構成できるため、組み立てにほとんど手間がかからない。また、容器に装着した段階で仕切として自立した形態が保たれるため、各仕切間への物品の収納が容易になるなど実用上極めて有益な効果を有する。
【発明を実施するための最良の形態】
【０００９】
本発明は、切罫と直線上に連続した横折罫で複数形成した各区画域に２つの縦折罫を設けたことにより、上述した課題を解決した。
【実施例１】
【００１０】
図１は、本発明に係る仕切装置１の一実施例であり、一枚の矩形状段ボールシートから形成したものである。この仕切装置１は図２のブランクシートに示すように端部から等間隔に設けた横折罫２によって複数に区画した区画域３を形成している。各区画域３には、２つの縦折罫４を設けている。２つの縦折罫４の間隔は全て同一であり、隣り合う区画域３の２つの縦折罫４間に重なるように階段状に設けている。また、横折罫２の線上で縦折罫４が直交する部分は連続した切罫５としている。各区画域３における２つの縦折罫４の間の部材が仕切装置１の仕切部６となる。段ボールの場合は、段の方向が垂直となるように設置するため、縦折罫４を段に平行な折罫とする。
【００１１】
各横折罫２は、図３のように山折りと谷折りを交互にした蛇腹折りにする。各縦折罫４は、切罫５との交差部がシートの端部から最も近い縦折罫４を、これに直交する横折罫２と逆折りにする。これを基準にして順次山折りと谷折りを交互にする。図２のブランクシートでは、山折りを一点鎖線、谷折りを二点差線、切罫５を太い実線で表している。この仕切装置１は、図３のように折り畳んだ状態にしておき、容器７に装着する段階で図４で示す矢印方向に押すようにして各縦折罫４を折り曲げて広げる。
【実施例２】
【００１２】
広げた仕切装置１は、図５のように容器７に装着することにより、仕切として自立するため、物品の収納が容易となる。仕切装置１の上下はいずれでもよく、容器７には図６のように複数装着してもよい。また、仕切部６に切込を設けることで、図７のように２つの仕切装置１を交差させて装着し、縦横に仕切ることができる。
【実施例３】
【００１３】
本発明に係る仕切装置１は、図８に示すように一つの横折罫２で２つ折りにするだけで形成することができる。この仕切装置１では、２つの仕切部６によって容器７が３つの空間に仕切られる。
【実施例４】
【００１４】
図９は、本発明に係る仕切装置１のさらに他の実施例を示すもので、各仕切部６のピッチを変える場合の例である。各仕切部６の間隔は、隣り合う区画域３の縦折罫４の間隔とほぼ同じである。例えば、図のように間隔をＸ＞ｘとすると、容器７が３つの狭い仕切間隔と、２つの広い仕切間隔に仕切られる。このことから、隣り合う区画域３の縦折罫４の間隔を小さくすることで、仕切部６を多重にして容器７の補強や容器７の蓋の嵌め込みなどに応用することができる。
【実施例５】
【００１５】
図１０は、本発明に係る仕切装置１のさらに他の実施例を示すもので、各仕切部６の高さを変える場合の例である。各仕切部６の高さは、各区画域３の幅によって決定される。例えば、図のように幅をＹ＞ｙとすると、中央部の２つの仕切部６の高さが低くなる。この場合、仕切装置１を容器７へ装着するときの上下によって異なり、幅の短い仕切部６には容器７の底部側若しくは開口部側に隙間が形成されることになる。包装する物品によっては材料を少なくできる利点がある。
【図面の簡単な説明】
【００１６】
【図１】本発明に係る仕切装置の一実施例を示す斜視図である。（実施例１）
【図２】図１に示した仕切装置のブランクシートである。
【図３】図１に示した仕切装置を折り畳んだ状態を示す斜視図である。
【図４】図３に示した折り畳んだ仕切装置を広げる状態を示す斜視図である。
【図５】本発明に係る仕切装置の他の実施例を示すもので、容器に装着した状態の平面図である。（実施例２）
【図６】容器に２つの仕切装置を並べて装着した状態を示す平面図である。
【図７】容器に２つの仕切装置を交差させて装着した状態を示す平面図である。
【図８】本発明に係る仕切装置のさらに他の実施例を示すブランクシートである。（実施例３）
【図９】本発明に係る仕切装置のさらに他の実施例を示すブランクシートである。（実施例４）
【図１０】本発明に係る仕切装置のさらに他の実施例を示すブランクシートである。（実施例５）
【符号の説明】
【００１７】
１  仕切装置
２  横折罫
３  区画域
４  縦折罫
５  切罫
６  仕切部
７  容器
【図１】
2010058816.tif 000003
【図２】
2010058816.tif 000004
【図３】
2010058816.tif 000005
【図４】
2010058816.tif 000006
【図５】
2010058816.tif 000007
【図６】
2010058816.tif 000008
【図７】
2010058816.tif 000009
【図８】
2010058816.tif 000010
【図９】
2010058816.tif 000011
【図１０】
2010058816.tif 000012